(57)【要約】  本発明は、供給線用入口及び送出線用出口を有するハウジング、ここで、前記ハウジング内にドーシングバルブがバルブハウジングを備えて配置され、このバルブハウジング内に、バルブ本体が変位方向において前後に直線変位可能なように装着される、を備えた蒸気噴射装置用ハンドピースであって、前記バルブ本体が、前記ハウジング上に保持された作動要素に可動となるように結合され、この作動要素が、使用者によりばね力の作用に反して可動であるハンドピースに関する。蒸気送出の特に繊細な割り当てを可能にするようなやり方で前記ハンドピースを更に改良するため、本発明によれば、少なくとも１つのばね要素が、前記バルブハウジングに隣接して側方に配置され、前記変位方向に平行な向きのばね力でもって前記バルブ本体に作用することが提案される。
2013513465.tif 000002
【特許請求の範囲】
【請求項１】
供給線用入口及び送出線用出口を有するハウジング、ここで、前記ハウジング内にドーシングバルブが配置され、該ドーシングバルブがバルブハウジングを有し、該バルブハウジング内に、変位方向において前後に直線変位可能なバルブ本体が装着される、を備えた蒸気噴射装置用ハンドピースであって、
前記バルブ本体が、前記ハウジング上に保持された作動要素に可動となるように結合され、該作動要素が、使用者によりばね力の作用に反して可動であるハンドピースにおいて、
少なくとも１つのばね要素（７４、７６）が、前記バルブハウジング（３４）に隣接して側方に配置され、前記変位方向に平行な向きのばね力でもって前記バルブ本体（５２）に作用すること、を特徴とするハンドピース。
【請求項２】
請求項１に記載のハンドピースであって、該ハンドピース（１０；１１０）が、前記バルブハウジング（３４）の互いから離れる方を向く横側に配置された、前記変位方向に平行な向きのばね力でもって前記バルブ本体（５２）に作用する２つのばね要素（７４、７６）を有すること、を特徴とするハンドピース。
【請求項３】
請求項１又は２に記載のハンドピースであって、前記少なくとも１つのばね要素が引張ばね（７４、７６）として設計されること、を特徴とするハンドピース。
【請求項４】
請求項１〜３のいずれか１項に記載のハンドピースであって、前記少なくとも１つのばね要素（７４、７６）が、前記バルブ本体（５２）と前記バルブハウジング（３４）の間で締め付けられること、を特徴とするハンドピース。
【請求項５】
請求項１〜４のいずれか１項に記載のハンドピースであって、前記バルブ本体（５２）が、
前記バルブハウジング（３４）の受けチャンバ（３８）に入り込み、該受けチャンバの内壁（５６）上を案内されて変位する摺動部（５４）、及び
前記受けチャンバ（３８）から突き出て、前記摺動部（５４）から異なる方向に突出する２つの保持部（６６、６８）、ここで、該保持部の各々にばね要素（７４、７６）が係合する、
を有すること、を特徴とするハンドピース。
【請求項６】
請求項１〜５のいずれか１項に記載のハンドピースであって、前記バルブ本体（５２）がＴ形の設計であること、を特徴とするハンドピース。
【請求項７】
請求項１〜６のいずれか１項に記載のハンドピースであって、前記バルブハウジング（３４）がバルブシート（４０）を形成し、該バルブシートに前記バルブ本体（５２）が封止的に当接するように適合されていること、を特徴とするハンドピース。
【請求項８】
請求項１〜７のいずれか１項に記載のハンドピースであって、前記バルブ本体（５２）が階段状であること、を特徴とするハンドピース。
【請求項９】
請求項１〜８のいずれか１項に記載のハンドピースであって、前記作動要素が、枢動軸（８０）を中心に枢動可能となるように装着された枢動レバー（７８）として設計され、前記枢動軸（８０）が、前記枢動レバー（７８）の前記ドーシングバルブ（３２）から離れる方を向く後部（８６）に配置されること、を特徴とするハンドピース。
【請求項１０】
請求項９に記載のハンドピースであって、前記枢動レバー（７８）が、前記バルブ本体（５２）に摺動案内部（６６、６８、９４、９６）を介して結合されること、を特徴とするハンドピース。
【請求項１１】
請求項９又は１０に記載のハンドピースであって、前記枢動レバー（７８）が、前記バルブ本体（５２）に直接結合されること、を特徴とするハンドピース。
【請求項１２】
請求項９、１０、又は１１に記載のハンドピースであって、前記枢動レバー（７８）が、該枢動レバー（７８）の前記枢動軸（８０）から離れる方を向く前端部（８８）に少なくとも１つの受け器（９４、９６）を有し、該受け器内に前記バルブ本体（５２）の連行要素（６６、６８）が可動となるように保持されること、を特徴とするハンドピース。
【請求項１３】
請求項９〜１２のいずれか１項に記載のハンドピースであって、前記枢動レバー（７８）が、該枢動レバー（７８）の前記枢動軸（８０）から離れる方を向く前端部（８８）に、前記バルブハウジング（３４）の少なくとも１つの端部を間に収容し且つ前記バルブ本体（５２）に前記摺動案内部を介して結合される２つの拡張部（９０、９２）を有すること、を特徴とするハンドピース。
【請求項１４】
請求項１〜１３のいずれか１項に記載のハンドピースであって、前記作動要素（７８）により作動可能な電気スイッチ（１１６）が、前記蒸気噴射装置からの蒸気供給のオンオフを切り替えるため、前記ハウジング（１２）内に配置されること、を特徴とするハンドピース。
【請求項１５】
請求項１〜１４のいずれか１項に記載のハンドピースであって、前記作動要素（７８）がロック可能であること、を特徴とするハンドピース。
【請求項１６】
請求項１〜１５のいずれか１項に記載のハンドピースであって、前記作動要素（７８）の可動範囲が、調節要素（９８）によって調節可能であること、を特徴とするハンドピース。
【請求項１７】
請求項１〜１６のいずれか１項に記載のハンドピースであって、送出線（４２）が、前記ドーシングバルブ（３２）の前記バルブハウジング（３４）上に一体的に形成されること、を特徴とするハンドピース。
【発明の詳細な説明】
【技術分野】
【０００１】
本発明は、供給線用入口及び送出線用出口を有するハウジング、ここで、前記ハウジング内にドーシングバルブが配置され、該ドーシングバルブがバルブハウジングを有し、該バルブハウジング内に、変位方向において前後に直線変位可能なバルブ本体が装着される、を備えた蒸気噴射装置用ハンドピースであって、前記バルブ本体が、前記ハウジング上に保持された作動要素に可動となるように結合され、該作動要素が、使用者によりばね力の作用に反して可動であるハンドピースに関する。
【背景技術】
【０００２】
この種類のハンドピースは、例えば家庭内の洗浄に使用されるような蒸気噴射装置に使用される。上記蒸気噴射装置は蒸気発生器を含み、蒸気発生器により蒸気を発生させ、蒸気はハンドピースに供給線を介して供給することができる。蒸気は、ハンドピースの助けにより、洗浄されるべき表面へと向けることができる。単位時間当たりに送出される蒸気の量は、使用者により割り当てることができる。この目的で、ハンドピース内にドーシングバルブが設置され、ドーシングバルブは、直線変位させることができ且つ使用者が作動要素により変位させることができるバルブ本体を有する。バルブ本体は、その位置に応じて弁開口を程度の差こそあれ解放する。すなわち、ドーシングバルブの流れ断面は、送出されるべき蒸気の量を割り当てるため、使用者により調節することができる。この種類のハンドピースは、例えば、DE 44 43 795 C2及びDE 298 16 208 U1から知られている。
【０００３】
例えばEP 0 715 827 A2において、蒸気噴射装置からハンドピースへの蒸気供給のオンとオフを切り替えることのできる電気スイッチをハンドピース内に配置することも既に提案されている。このようなスイッチを、ドーシングバルブに加えて使用することができる。
【０００４】
DE 44 43 795 C2から知られているハンドピースの場合、ドーシングバルブの作動は調節ホイールの助けによりもたらされ、調節ホイールの上に歯車が一体的に形成される。歯車は、バルブ本体と一体に接続される歯付ロッドと噛み合う。調節ホイールは、ハンドピースのハウジングに摩擦接続又は弾性接続を介して結合されることから、特定のトルクを克服することによってのみ旋回させることができる。このような設計により、ハンドピースが使用者の手から滑り出ても、バルブはその位置を維持することができる。このことは、蒸気が意図せず送出されるリスクを伴う。
【０００５】
いかなる意図しない蒸気送出をも回避するため、DE 298 16 208 U1において戻しばねが提案されており、この戻しばねは、作動要素が使用者により解放されると休止位置を自動的に占めるように作動要素に復元力を付与し、休止位置ではドーシングバルブの流れ断面が最小となる。結果として、ハンドピースが使用者の手から滑り出た時に蒸気が意図せず送出されるリスクは低減される。
【０００６】
DE 298 16 208 U1から知られているハンドピースの戻しばねは、螺線状の圧縮ばねとして設計され、作動要素とハウジングの止めの間で締め付けられる。作動要素がその休止位置から移動すると、戻しばねは圧迫されて側方へ曲げられることになる。使用者が作動要素を解放すると、戻しばねは作動要素を休止位置へと押し戻し、作動要素は再びバルブ本体をその初期位置へと戻す。
【０００７】
しかしバルブ本体が引っかかるというリスクがある。このことにより、蒸気送出の割り当てがより困難になる。
【先行技術文献】
【特許文献】
【０００８】
【特許文献１】DE 44 43 795 C2
【特許文献２】DE 298 16 208 U1
【特許文献３】EP 0 715 827 A2
【発明の概要】
【発明が解決しようとする課題】
【０００９】
本発明の目的は、蒸気送出の特に繊細な割り当てが可能となるよう、一般的な種類のハンドピースを更に改良することである。
【課題を解決するための手段】
【００１０】
この目的は、本発明によれば、冒頭で特定された種類のハンドピースにおいて、少なくとも１つのばね要素が、前記バルブハウジングに隣接して側方に配置され、前記変位方向に平行な向きのばね力でもって前記バルブ本体に作用する、という点で達成される。
【００１１】
前記バルブ本体が前記変位方向に平行な向きのばね力の作用を受けるよう、少なくとも１つのばね要素を前記バルブハウジングに隣接して側方に配置することにより、交差方向の力をほぼ免れる前記バルブ本体の移動が可能になるので、前記バルブ本体が引っかかるリスクは非常に小さくなる。前記バルブ本体に作用する復元力の作用の結果として、使用者が前記作動要素を解放すると、前記バルブ本体は自動的に前記ドーシングバルブの流れ断面を限定する休止位置を占める。前記作動要素は、前記バルブ本体に結合されており、前記ドーシングバルブの流れ断面を増加させるため、前記バルブ本体に作用する前記ばね力の作用に反して、使用者によりその休止位置から移動させることができる。交差方向の力をほぼ免れる前記バルブ本体の前記移動により、蒸気送出を非常に繊細に割り当てることが可能になる。
【００１２】
前記ハンドピースが、前記バルブハウジングの互いから離れる方を向く横側に配置された、前記変位方向に平行な向きのばね力でもって前記バルブ本体に作用する２つのばね要素を有すると特に有利である。前記バルブ本体が変位のために保持される前記バルブハウジングは、このような設計により、各々が前記バルブ本体に作用する２つのばね要素の間に配置される。前記ばね要素により付与される前記ばね力は、前記バルブ本体の前記変位方向に対して平行に向けられる。
【００１３】
前記ハンドピースが２つより多いばね要素を有し、全ての前記ばね要素が、前記バルブ本体の前記変位方向に平行な向きのばね力を前記バルブ本体に付与するようにしてもよい。
【００１４】
前記ハンドピースの前記少なくとも１つのばね要素は、好ましくは引張ばねとして設計される。特に、螺線状の引張ばねが有利であることが分かっている。
【００１５】
有利な一実施形態において、前記少なくとも１つのばね要素は、前記バルブ本体と前記バルブハウジングの間で締め付けられる。このような設計は、前記ドーシングバルブを前記ハウジングの外側で予め組み立てることができる、ここでは、前記バルブハウジング内に前記バルブ本体を挿入し、前記少なくとも１つのばね要素を、一方では前記バルブハウジングに、他方では前記バルブ本体に固定する、という利点を有する。その後、予め組み立てられた前記ドーシングバルブを、続けて前記ハンドピースの前記ハウジング内に挿入することができる。
【００１６】
前記バルブ本体は、好ましくは、前記バルブハウジングの受けチャンバに入り込み、該受けチャンバの内壁上を案内されて変位する摺動部、及び、前記受けチャンバから突き出て、前記摺動部から異なる方向に突出する２つの保持部、ここで、該保持部の各々にばね要素が係合する、を有する。前記摺動部は、例えばボルトのように設計することができる。特に、前記摺動部を円筒形に設計することが有利であることが分かっている。
【００１７】
前記バルブ本体がＴ形の設計であると特に好ましい。前記バルブ本体は、このような実施形態において、シャフトの態様である中央摺動部を有し、この中央摺動部から２つの保持部が、側部アームのように、互いから離れる方を向く方向に直角に突出する。
【００１８】
前記ドーシングバルブが閉鎖弁として設計され、この閉鎖弁により蒸気送出を完全に遮断することができるようにしてもよい。
【００１９】
前記バルブハウジングは、好ましくはバルブシートを形成し、該バルブシートに前記バルブ本体が封止的に当接するように適合されている。
【００２０】
前記バルブシートは、例えば、内側肩部又は段部の形態に設計することができ、この内側肩部又は段部に前記バルブ本体が閉鎖位置において封止的に当接することができる。
【００２１】
前記バルブ本体は、好ましくは、前記バルブ本体を周方向に包囲する少なくとも１つのシールリングを含む。
【００２２】
前記バルブ本体が、前記バルブハウジング内におけるその位置に応じて、前記ドーシングバルブの流れ断面を程度の差こそあれ解放するという点で、前記ドーシングバルブの流れ断面が連続的に変更可能であるようにしてもよい。
【００２３】
本発明の好適な一実施形態において、前記流れ断面は段階的に変更される。このような設計では、使用者は異なる割り当て範囲の間で選択することができ、前記ドーシングバルブの流れ断面は２つの割り当て範囲の間において段階的なやり方で広くなる。
【００２４】
前記ドーシングバルブが、前記バルブ本体の第１変位範囲における第１最大流れ断面まで開放されると共に、前記バルブ本体の第２変位範囲における第２最大流れ断面まで開放され、前記第２最大流れ断面が前記第１最大流れ断面よりも大きいようにしてもよい。前記流れ断面は、前記第１変位範囲から前記第２変位範囲へ移行する間に、急激に増加することができる。
【００２５】
有利な一実施形態において、前記バルブ本体は階段状の設計である。このことにより、前記ドーシングバルブの第１流れ断面から第２流れ断面への階段状の移行が、構造的に簡単なやり方で可能となる。
【００２６】
前記作動要素は、好ましくは、枢動軸を中心に枢動可能となるように前記ハウジング上に装着された枢動レバーとして設計され、前記枢動軸が、前記枢動レバーの前記ドーシングバルブから離れる方を向く後部に配置される。前記枢動軸を前記ドーシングバルブから可及的に遠い距離に位置決めすることにより、前記バルブ本体を比較的大きなバルブ経路に亘って移動可能とある。他方、このことにより、単位時間当たりに送出されるべき蒸気の量の特に繊細な割り当てが可能となる。
【００２７】
既に説明したように、前記作動要素は前記バルブ本体に結合される。好適な一実施形態において、前記結合は摺動案内部を介してもたらされる。特に、前記作動要素が枢動レバーとして設計されると、前記枢動レバーを前記バルブ本体に摺動案内部を介して結合することができる。
【００２８】
前記枢動レバーが、付加的な機械的伝達要素が使用されることなく、前記バルブ本体に直接結合されると好ましい。このことにより、前記ハンドピースの構成要素の数が減らされ、結果としてその組立てが促進される。
【００２９】
前記作動要素が枢動レバーの形態に設計される場合、この枢動レバーが、該枢動レバーの前記枢動軸から離れる方を向く前端部に少なくとも１つの受け器を有し、該受け器内に前記バルブ本体の連行要素が可動となるように保持されると好ましい。
【００３０】
前記枢動レバー用の前記受け器は、例えば、溝、細長い孔、又はスロットの形態に設計することができる。
【００３１】
前記枢動レバーが、該枢動レバーの前記枢動軸から離れる方を向く前端部に、前記バルブハウジングの少なくとも１つの端部を間に収容し且つ前記バルブ本体に摺動案内部を介して結合される２つの拡張部を有すると特に有利である。例えば、前記拡張部は、各々、前記バルブ本体の連行要素用の受け器を含むことができる。前記拡張部は、前記バルブ本体の互いから離れる方を向く外側に沿って摺動することができる。
【００３２】
２つの前記拡張部が同一の設計であると好ましい。
【００３３】
本発明に係る前記ハンドピースの特に好適な一実施形態において、前記作動要素により作動可能な電気スイッチが、前記蒸気噴射装置からの蒸気供給のオンオフを切り替えるため、そのハウジング内に配置される。このような実施形態では、上で説明したやり方で、前記ドーシングバルブ及び前記作動要素により、蒸気送出を制御することができる。更に、蒸気供給は、前記作動要素及び前記電気スイッチの助けにより、オンオフを切り替えることができる。結果として、使用者が前記作動要素により前記ハンドピース内の前記電気スイッチを作動させる時にのみ、前記蒸気噴射装置から前記ハンドピースに蒸気を供給することができる。前記作動は、前記バルブ本体に作用し且つこのバルブ本体により前記作動要素に伝えられる前記ばね力の作用に反してもたらされる。蒸気供給がオンに切り替えられると、使用者は、作用するばね力に反して前記作動要素を移動させることにより、前記ハンドピースから単位時間当たりに送出される蒸気の量を非常に繊細に割り当てることができる。使用者が前記作動要素を再び解放すると、この作動要素は、前記作用するばね力のためにその休止位置に自動的に戻り、蒸気供給はオフに切り替えられる。
【００３４】
前記作動要素が枢動レバーの形態に設計され、その前記枢動軸が前記ドーシングバルブから離れる方を向く後方枢動レバー部内に配置される場合、前記スイッチが、前記枢動レバーの前記枢動軸と前記ドーシングバルブの間の領域に位置決めされると好ましい。
【００３５】
前記作動要素は、好ましくはロック可能である。前記作動要素をその休止位置にロックすることができ、この休止位置において前記ドーシングバルブの前記流れ断面が最小であると好ましい。結果として、蒸気が意図せず送出されるリスクは特に小さいままにしておくことができる。
【００３６】
前記作動要素の可動範囲が、調節要素によって調節可能であると好ましい。例えば、使用者が、前記作動要素の小さめの可動範囲と大きめの可動範囲の間で選択することができるようにしてもよい。使用者は、前記小さめの可動範囲を選択すると、前記ドーシングバルブの前記流れ断面を最小値から開始して中間値まで変化させることができる。他方、使用者は、前記作動要素の前記大きめの可動範囲を選択すると、前記ドーシングバルブの前記流れ断面をその最小値から開始して前記中間値を介し最大値まで変化させることができる。
【００３７】
従って、前記作動要素は、前記調節要素により予め決められた端位置を占めるまでの範囲でのみ、移動させることができる。
【００３８】
前記調節要素は、例えば、前記ハウジング上に回転可能に装着され且つ前記作動要素の前記可動範囲を限定するカムを有する調節ホイールの形態に設計することができる。
【００３９】
前記作動要素を前記調節要素によりその休止位置にロックすることができると特に好ましい。従って、前記調節要素は、一方で、前記作動要素の前記可動範囲を予め決めるという機能を受け持ち、更に、前記作動要素をその休止位置にロックするという機能を受け持つ。
【００４０】
前記蒸気の流れ方向において、別個の送出線が前記ドーシングバルブに隣接することができる。前記送出線は、前記バルブハウジングにシール要素を介在させて接続することができる。
【００４１】
本発明の特に好適な一実施形態において、前記送出線は、前記バルブハウジング上に一体的に形成される。従って、送出線及びバルブハウジングは、一つの部分から成る構成要素を形成することができる。結果として、前記送出線と前記バルブハウジングの間の付加的な密封要素を省くことができる。
【００４２】
本発明をより詳細に説明するため、本発明の２つの好適な実施形態を、図面を参照しつつ、以下に記載する。
【図面の簡単な説明】
【００４３】
【図１】本発明に係るハンドピースの第１実施形態の縦断面図。
【図２】図１の２‐２線に沿った断面図。
【図３】本発明に係るハンドピースの第２実施形態の縦断面図。
【図４】図３の４‐４線に沿った断面図。
【発明を実施するための形態】
【００４４】
本発明に係るハンドピースの第１実施形態を図１及び図２に示し、全体として参照符号１０を与える。この実施形態は、２つの半殻１４、１６により形成されるハウジング１２を含む。これら２つの半殻１４、１６は、互いに接続される、好ましくはねじ締め又はリベット留めされる。この実施形態は、略管状の設計であり、侵入部１８及び退出部２０を有する。侵入部１８及び退出部２０は、互いに合わさって、これにより概ね４５°の角度を形成する
【００４５】
侵入部１８は、退出部２０から離れる方を向くその後方側２２に、入口２４を有する。入口２４には供給線２６が侵入する。供給線２６は、図示しない蒸気噴射装置にハンドピース１０を接続し、ハンドピース１０に熱蒸気を供給する。供給線２６は保護ホース２８を含み、保護ホース２８は、２つの半殻１４及び１６間で締め付けられ且つ蒸気を導く内部ホース３０を包囲する。内部ホース３０は、ハウジング１２内をその退出部２０まで延びる。退出部２０内にはドーシングバルブ３２がバルブハウジング３４を備えて配置され、バルブハウジング３４はホースステム３６を含み、ホースステム３６には内部ホース３０が接続される。ホースステム３６はバルブハウジング３４の受けチャンバ３８内へ開口し、受けチャンバ３８は、バルブシートを形成する内方に向けられた段部４０を介して、送出線４２に一体に隣接する。送出線４２は、退出部２０の侵入部１８から離れる方を向く端面４６から自由端４４が突出する。退出部２０は端面４６の領域において出口４８を形成し、出口４８は送出線４２の自由端４４が通過する。
【００４６】
バルブハウジング３４の受けチャンバ３８は、送出線４２と同一直線上に整列され、ホースステム３６の開口領域から距離を置いて後方開口端５０を有する。
【００４７】
中央シャフト５４の形態の摺動部を備えたＴ形のバルブ本体５２が、バルブハウジング３４の受けチャンバ３８に入り込む。シャフト５４は、受けチャンバ３８の内壁５６上を案内されて変位し、また、前端領域５８が送出線４２の方向にバルブハウジング３４の段部４０を越えたところまで延びる。シャフト５４は、段部４０の高さにおいて、前方シールリング６０により包囲される。前方シールリング６０は、図１及び図２に示すドーシングバルブ３２の閉鎖位置においてバルブシートを形成する段部４０に封止的に当接する。
【００４８】
バルブ本体５２のシャフト５４は、その前端領域５８に側方扁平領域６２を有する。
【００４９】
シャフト５４は、受けチャンバ３８の領域において、受けチャンバ３８の内壁５６に封止的に当接する後方シールリング６４により包囲される。後方シールリング６４は、受けチャンバ３８内で段部４０から距離を置いて配置され、受けチャンバ３８にホースステム３６を介して流れ込む蒸気が受けチャンバの開口端５０を介して後方へ退出できないことを保証する。
【００５０】
シャフト５４は、その後端領域が受けチャンバ３８から突出する。シャフト５４は、その突出領域において、第１側部アーム６６及び第２側部アーム６８の形態の２つの保持部を担持する。第１側部アーム６６及び第２側部アーム６８は、互いから離れる方を向く方向において、シャフト５４から離れるように直角に突出する
【００５１】
バルブハウジング３４は、送出線４２の方向に段部４０から距離を置いて、側部アーム６６、６８に対して平行に整列される第１支持翼７０及び第２支持翼７２を有する。第１支持翼７０と第１側部アーム６６の間で第１閉鎖ばね７４が張力をかけられ、第２支持翼７２と第２側部アーム６８の間では第２閉鎖ばね７６が張力をかけられる。２つの閉鎖ばね７４、７６は、それぞれ螺線状の引張ばねとして設計され、シャフト５４に平行な向きのばね力でもってバルブ本体５２に作用する。バルブ本体５２は、ばね力の作用に反して、図１及び図２に示すその閉鎖位置から、受けチャンバ３８の内壁５６に沿って、送出線４２から離れる方を向く方向において後方へと移動させることができる。この時、前方シールリング６０が、段部４０から離れて上昇し、ドーシングバルブ３２の流れ断面を解放する。シャフト５４の扁平領域６２が段部４０に達すると、ドーシングバルブ３２の流れ断面は急激に増加する。
【００５２】
バルブ本体５２を移動させる目的で、ハンドピース１０は、枢動レバー７８の形態の作動要素を含む。枢動レバー７８は、枢動軸８０を中心に枢動可能であり、作動部８２が侵入部１８においてハウジング開口８４を通過し、使用者により把持することができる。
【００５３】
枢動軸８０は、枢動レバー７８のドーシングバルブ３２から離れる方を向く後端部８６に配置され、従ってドーシングバルブ３２から相当な距離を置かれている。枢動レバー７８は、ドーシングバルブ３２の方を向くその前端部８８に、第１拡張部９０及び第２拡張部９２を有する。第１拡張部９０及び第２拡張部９２は、間にバルブハウジング３４の後端領域を収容し、第１案内スロット９４及び第２案内スロット９６をそれぞれ有する。第１案内スロット９４はバルブ本体５２の第１側部アーム６６が通過し、第２案内スロット９６はバルブ本体５２の第２側部アーム６８が通過する。２つの側部アーム６６及び６８は、案内スロット９４及び９６と組んで枢動レバー７８の枢動中に枢動レバーの枢動運動を摺動案内部のようにバルブ本体５２の直線変位運動に変換する連行要素を形成する。枢動レバー７８が、図１に示すその休止位置から時計回りの方向にハウジング１２内へと枢動すると、結果としてバルブ本体５２が後方に向かって移動し、そのためドーシングバルブ３２の流れ断面が増加する。この場合、前方シールリング６０が段部４０から距離を置かれているため、内部ホース３０及びホースステム３６を介してバルブハウジング３４に侵入する蒸気は、段部４０を通り、ドーシングバルブ３２と一体に接続される送出線４２を介して送出することができる。バルブ本体５２は、２つの閉鎖ばね７４、７６により、バルブ本体の変位方向に平行な向きのばね力の作用を受ける。従って、枢動レバー７８の移動は、閉鎖ばね７４、７６により付与されるばね力の作用に反してもたらされる。使用者が枢動レバーを解放すると、バルブ本体５２は、その閉鎖位置に自動的に移行する。この閉鎖位置では、前方シールリング６０が段部４０に封止的に当接し、その結果、蒸気の流路が遮断される。
【００５４】
侵入部１８と退出部２０の間の移行領域において、調節ホイール９８の形態の調節部材が、ハウジング１２内に回転自在に装着されており、ハウジング１２の開口１００を通ってハウジング１２から外方へ部分的に突出し、ハウジング１２内でカム１０２を担持する。カム１０２は、径方向外方へ向けられ、調節ホイール９８の方を向く枢動レバー７８の接触面１０４と相互作用する。調節ホイール９８は、ハウジング半殻１４の内側に一体的に形成されるロック鼻１０６と連動接続を介して相互作用し、ロック鼻１０６の助けにより３つの位置で固定することができる。
【００５５】
調節ホイール９８の第１位置を図１に示す。この位置では、カム１０２は枢動レバー７８の接触面１０４に当接し、枢動レバーはその休止位置でロックされる。従って、枢動レバーは内方へ枢動することができない。
【００５６】
図１において、調節ホイール９８は、時計回りの方向に反して第２位置へと枢動することができる。この第２位置において、カム１０２は、休止位置にある枢動レバー７８の接触面１０４から比較的小さい第１距離のところにある。このことにより、枢動レバー７８が第１移動範囲で枢動することが許容され、従って、バルブ本体５２が第１変位範囲で移動することが許容される。
【００５７】
調節ホイール９８は、時計回りの方向に反して第３位置へと枢動することができる。この第３位置において、カム１０２は、休止位置にある枢動レバー７８の接触面１０４から比較的大きい距離のところにある。このことにより、枢動レバー７８が比較的大きい移動範囲で枢動することが許容され、その結果、バルブ本体５２が大きい変位範囲で変位することが許容される。
【００５８】
よって、調節ホイール９８は、一方で、枢動レバー７８をその休止位置で自らの助けによりロック可能なロック要素を形成する。更に、調節ホイール９８は、ドーシングバルブの割り当て範囲を調節することを可能にする。なぜなら、使用者が、調節ホイール９８を旋回させることにより、枢動レバー７８のより小さい可動範囲を予め定めるか、それとも、より大きい可動範囲を予め定めるかに応じて、バルブ本体５２をより小さい又はより大きい距離に亘って前後に変位させることができ、そのため、ドーシングバルブ３２のレギュレーション範囲を調節ホイール９８により予め定めることができる。
【００５９】
本発明に係るハンドピースの第２実施形態を図３及び図４に示し、全体として参照符号１１０を与える。この実施形態は、図１及び図２に関して上で述べたハンドピース１０と、かなりの程度において同一の設計である。従って、図１及び図２において使用したものと同じ参照符号を図３及び図４における同一の構成要素について使用し、これらの構成要素に関しては、いかなる繰り返しも避けるため、先行する説明が参照される。
【００６０】
ハンドピース１０とは対照的に、ハンドピース１１０では、単一のシールリング１１４のみにより包囲されるバルブ本体１１２が使用される。シールリング１１４は、受けチャンバ３８内で段部４０から距離を置いて配置され、蒸気が受けチャンバ３８の開口端５０を介して後方へと退出できないことを保証する。従って、シールリング１１４の機能は、ハンドピース１０の後方シールリング６４の機能に対応する。
【００６１】
枢動レバー７８がハンドピース１１０内で休止位置にある場合に、段部４０の領域において受けチャンバ３８を送出線４２の方向に密封する必要はない。なぜなら、蒸気噴射装置からハンドピース１１０への蒸気供給を、電気スイッチ１１６の助けにより、電気的に制御することができるからである。この目的で、図示しない蒸気噴射装置が、電気スイッチ１１６に、供給線２６の保護ホース２８内で内部ホース３０に隣接して側方に延びる制御ケーブル１１８を介して接続される。スイッチは、ハウジング１２の侵入部１８内で、長手方向において概ね中央に配置されており、枢動レバー７８の作動部８２の内側に配置された切替カム１２２と相互作用する切替プランジャ１２０を有する。
【００６２】
ハンドピース１１０の枢動レバー７８が、図３及び図４に示すその休止位置から内方に枢動すると、切替カム１２２が電気スイッチ１１６の切替プランジャ１２０を作動させ、蒸気噴射装置からハンドピース１１０への蒸気供給がオンに切り替えられる。枢動レバー７８は、引き続き、更に内方にハウジング１２内へと枢動することができる。この場合、切替カム１２２が、切替プランジャ１２０を電気スイッチ１１６のハウジング内へと、スイッチ１１６の切替位置を変更することなく押し込む。結果として、蒸気の供給がオンに切り替えられると、枢動レバー７８及びドーシングバルブ３２により、送出されるべき蒸気量を、ハンドピース１０に対応する方法で割り当てることができる。使用者が枢動レバー７８を再び解放すると、この枢動レバーは、閉鎖ばね７４、７６によりバルブ本体５２を介してその休止位置に戻るように枢動し、蒸気供給は電気スイッチ１１６によりオフに切り替えられる。
【００６３】
ハンドピース１０の場合、またハンドピース１１０の場合も、バルブ本体５２は、バルブハウジング３４の受けチャンバ３８内を低摩擦のやり方で案内される。この場合、バルブ本体５２は、実際上、交差方向の力を受けない。バルブ本体５２は、２つの閉鎖ばね７４及び７６により、変位方向に平行な向きのばね力の作用を受ける。実際上、バルブ本体５２がバルブハウジング３４内で引っかかるリスクはない。従って、蒸気の送出を非常に繊細に割り当てることができる。
【００６４】
２つの閉鎖ばね７４及び７６は、ハウジング１２の退出部２０内において、バルブハウジング３４に隣接して側方に配置される。結果として、電気スイッチ１１６を配置するため、侵入部１８内で枢動レバー７８の作動部８２と内部ホース３０の間に自由空間を作り出すことができる。従って、ハンドピース１０とハンドピース１１０については、バルブ本体５２及び１１２を除き、同一の構成要素をそれぞれ使用することができ、それ故、これらの構成要素はより多く製造することができる。従って、ハンドピース１０及び１１０は、送出されるべき蒸気量の非常に繊細な割り当てだけでなく、安価な製造をも特徴とする。
【図１】
2013513465.tif 000003
【図２】
2013513465.tif 000004
【図３】
2013513465.tif 000005
【図４】
2013513465.tif 000006
【国際調査報告】
2013513465.tif 000007
2013513465.tif 000008
2013513465.tif 000009
2013513465.tif 000010